(57)【要約】【課題】既設の人工芝を人工芝として再利用することのできる人工芝の利用方法を提供する。【解決手段】既設の人工芝１を設置場所Ａから回収して人工芝１として再利用するようにしたので、例えば耐用年数まで十分な期間が残されている中古の人工芝１を他の設置場所Ｂで再利用することができ、人工芝１の流通性及び利用価値を高めることができる。この場合、新設の人工芝１を設置場所Ａに敷設した後、予め設定した所定の時期（例えば、リース満了時期）に達すると、設置場所Ａの人工芝１を回収して他の設置場所Ｂに人工芝として敷設するようにしたので、設置場所Ａにリースにより人工芝１を新設することができる。【選択図】図１
2018141289.tif 000002
【特許請求の範囲】
【請求項１】
パイル間に充填物が充填された既設の人工芝を設置場所から回収して人工芝として再利用する人工芝の利用方法であって、
前記既設の人工芝を前記設置場所で所定の幅に切断し、
切断された人工芝から充填物を除去した後、
充填物が除去された人工芝を他の設置場所に敷設する
ことを特徴とする人工芝の利用方法。
【請求項２】
パイル間に充填物が充填される新設の人工芝を設置場所に敷設した後、予め設定した所定の時期に達すると、既設の人工芝を回収して他の設置場所に人工芝として再利用可能に敷設する人工芝の利用方法であって、
前記既設の人工芝を前記設置場所で所定の幅に切断し、
切断された人工芝から充填物を除去した後、
充填物が除去された人工芝を他の設置場所に敷設する
ことを特徴とする人工芝の利用方法。
【請求項３】
前記所定の時期を人工芝の新設時から５年以上１０年以下に設定する
ことを特徴とする請求項２記載の人工芝の利用方法。
【請求項４】
前記充填物が除去された人工芝をロール状に巻き、
ロール状に巻かれた人工芝を他の設置場所で巻き戻しながら敷設する
ことを特徴とする請求項１、２または３記載の人工芝の利用方法。
【請求項５】
前記充填物が除去された人工芝を巻芯に巻き取ることによりロール状に巻き、
巻芯に巻き取られた人工芝を巻芯から巻き出すことにより他の設置場所で巻き戻す
ことを特徴とする請求項４記載の人工芝の利用方法。
【請求項６】
前記人工芝に生ずる巻取方向の張力が所定の張力以下になるように人工芝を巻芯に巻き取る
ことを特徴とする請求項５記載の人工芝の利用方法。
【請求項７】
前記既設の人工芝の切断及び充填物の除去を行う自走可能な人工芝回収装置を用いて既設の人工芝の回収を行う
ことを特徴とする請求項１、２、３、４、５または６記載の人工芝の利用方法。
【発明の詳細な説明】
【技術分野】
【０００１】
本発明は、本発明は、例えばテニスコート、野球、サッカー、ラグビー、アメリカンフットボール等のグランド、その他の各種運動施設等に敷設された人工芝を再利用するための人工芝の利用方法に関するものである。
【背景技術】
【０００２】
従来、各種運動施設等に敷設される人工芝としては、合成樹脂製のパイルが植設されたシート状の基材をアスファルト等の下地層の上に設置し、基材上のパイル間に細かい砂や珪砂、またはこれらにゴムチップを散布、混合してなる充填物を充填したものが知られている（例えば、特許文献１参照）。
【０００３】
このような人工芝は、充填物層が雨や散水等の水分を透水するので、水はけが良く、コンディションの管理が容易であるとともに、着色された充填物を用いる場合は美観に優れるだけでなく、白色パイルからなるラインの視認性を高めることもできるという利点がある。また、競技者が着地した際の衝撃が充填物によって吸収されるとともに、充填物によって適度な滑りが得られるので、競技者の負担を軽減することができ、転倒時やスライディング時のパイルとの摩擦による火傷を防止する効果もある。
【０００４】
しかしながら、従来の人工芝は、長期的な使用によりパイルが損耗するとともに、経時変化により充填物が固結して硬化し、衝撃吸収性や透水性が損なわれるため、通常１０年〜１５年程度で張り替える必要がある（図８参照）。人工芝の張り替え工事では、既設の人工芝を充填物が入ったままの状態で敷設場所から撤去し、産業廃棄物として処分している。しかしながら、人工芝と充填物とを分別すればそれぞれ再利用可能な場合が多いため、このような撤去後の人工芝や充填物をそのまま産業廃棄物として処分したのでは、資源の無駄な消費になるとともに、産業廃棄物の処分費用も発生し、張り替え工事費を増加させることにもなる。そこで、充填物入りの人工芝を設置場所から回収し、工場等で人工芝と充填物に分別することにより、例えば人工芝を再資源化してリサイクルするとともに、人工芝と分別した充填物を新たに敷設される人工芝に充填したり、或いは土木用、建築用資材として他の用途に利用することが提案されている（例えば、特許文献２参照）。
【先行技術文献】
【特許文献】
【０００５】
【特許文献１】特開平６−１９３０１０号公報
【特許文献２】特開２００９−１１３０２０号公報
【発明の概要】
【発明が解決しようとする課題】
【０００６】
ところで、前記従来例の人工芝の利用方法は、回収した人工芝を再資源化するなど、人工芝のまま再利用するものではない。そもそも屋外に常設される人工芝は、人工芝として再利用させることを想定として設置されることはなく、損耗や耐用年数の到来により張り替えるのが通常である。しかしながら、人工芝は５年程度の使用により変色やパイルの損耗等の劣化が始まるため、例えば多くの観客を動員する本格的な競技場等では、変色による人工芝の見栄えの低下は好ましいものではなく、競技者に対しても人工芝のコンディションは常に最良の状態に維持しておきたいものである。また、使用年数の経過に伴い、劣化による修繕費等のメンテナンス費用も増加することになる。一方、従来のように耐用年数に達した人工芝を回収する場合は損耗が著しく再利用は不可能であるが、使用年数が５年程度のものであれば、軽度な損耗や変色はあるものの十分に使用に耐え得ることから、若干の劣化を許容可能な設置場所であれば再利用が可能である。
【０００７】
しかしながら、従来のように既設の人工芝を廃棄物として回収する場合は、敷設面から剥離した人工芝を充填物が入ったままの状態でロール巻きにし、フォークリフト等の建設機械を用いて撤去しており、このような回収方法では人工芝の損傷が著しく、人工芝として再利用することは困難である。特に、充填物入りの状態では、充填物の重量によって撤去作業中に人工芝の変形や亀裂等の損傷が生じやすくなるとともに、充填物の重さで運搬にも支障を来すという問題点があった。
【０００８】
本発明は上記事情に鑑みてなされたものであり、その目的とするところは、既設の人工芝を人工芝として再利用することのできる人工芝の利用方法を提供することにある。
【課題を解決するための手段】
【０００９】
本発明の人工芝の利用方法は、前記目的を達成するために、パイル間に充填物が充填された既設の人工芝を設置場所から回収して人工芝として再利用する人工芝の利用方法であって、前記既設の人工芝を前記設置場所で所定の幅に切断し、切断された人工芝から充填物を除去した後、充填物が除去された人工芝を他の設置場所に敷設するようにしている。
【００１０】
また、本発明の人工芝の利用方法は、前記目的を達成するために、パイル間に充填物が充填される新設の人工芝を設置場所に敷設した後、予め設定した所定の時期に達すると、既設の人工芝を回収して他の設置場所に人工芝として再利用可能に敷設する人工芝の利用方法であって、前記既設の人工芝を前記設置場所で所定の幅に切断し、切断された人工芝から充填物を除去した後、充填物が除去された人工芝を他の設置場所に敷設するようにしている。
【００１１】
これにより、既設の人工芝が設置場所から回収されて人工芝として再利用されることから、例えば耐用年数まで十分な期間が残されている人工芝を他の設置場所で再利用することが可能となる。この場合、新設の人工芝を設置場所に敷設した後、予め設定した所定の時期に達すると、前記人工芝を回収して他の設置場所に人工芝として敷設することにより、人工芝を再利用可能な資産としてリースにより新設することが可能となる。また、人工芝を回収する際、既設の人工芝が敷設現場で所定の幅に切断され、切断された人工芝から充填物が除去されるとともに、充填物が除去された人工芝が他の敷設場所に敷設されることから、充填物が入っていない状態で人工芝を回収及び再敷設することが可能となり、充填物の重量によって回収作業中に人工芝の変形や亀裂等の損傷が生ずることがなく、充填物の重さで運搬に支障を来すこともない。
【発明の効果】
【００１２】
本発明によれば、既設の人工芝を人工芝として再利用することができるので、例えば耐用年数まで十分な期間が残されている人工芝を他の設置場所で再利用することができ、人工芝の流通性及び利用価値を高めることができる。この場合、人工芝を再利用可能な資産としてリースにより新設することが可能となるので、人工芝の新設費用をリースで経費化することができる。これにより、例えば古くなった人工芝の張り替え費用の捻出が困難であった施設や、人工芝のコンディションを常に最良の状態に維持しておきたい競技場など、人工芝の早期の張り替えが望まれる場所に極めて有利である。一方、再利用可能に回収された人工芝を中古物件として他の場所で買い取ることにより、例えば砂埃対策として土のグランドを人工芝化したい場合など、多少劣化した人工芝でも許容可能な設置場所であれば、低コストで人工芝の導入が可能となり、再利用可能に回収された人工芝の利用価値をより高めることができる。また、充填物の重量によって回収作業中に人工芝の変形や亀裂等の損傷が生ずることがないので、人工芝の損傷を防止することができ、人工芝の品質を保つことができる。更に、充填物の重さで運搬に支障を来すこともないので、運搬作業を容易に行うことができる。
【図面の簡単な説明】
【００１３】
【図１】本発明の一実施形態を示す人工芝の利用方法の概略図
【図２】人工芝の側面図
【図３】人工芝回収装置の側面図
【図４】人工芝回収装置の平面図
【図５】巻取機構の正面図
【図６】巻芯を取り外した状態を示す巻取機構の正面図
【図７】人工芝の利用方法を示すフローチャート
【図８】従来の人工芝の利用方法を示す概略図
【発明を実施するための形態】
【００１４】
図１乃至図７は本発明の一実施形態を示すもので、例えばテニスコート、野球、サッカー、ラグビー、アメリカンフットボール等のグランド、その他の各種運動施設等に敷設された人工芝を再利用するための人工芝の利用方法を示すものである。
【００１５】
本実施形態では、設置場所Ａに設置された既設の人工芝１を人工芝回収装置１０によって回収し、回収した人工芝１を人工芝として他の設置場所Ｂに敷設して再利用するようにしている。
【００１６】
人工芝１は、シート状の基材１ａと、基材１ａに植設されたパイル１ｂとからなり、パイル１ｂの間には充填物２が充填されている。また、人工芝１は、地盤側に形成された敷設面としての下地層３上に敷設される。
【００１７】
基材１ａは、例えばポリプロピレン製の平織りまたは不織布の基布等によって形成され、排水用の孔（図示せず）が等間隔で設けられた透水性を有するシート状の部材からなる。
【００１８】
パイル１ｂは、ナイロン、ポリアミド、ポリエチレンテレフタレート、ポリプロピレン、ポリ塩化ビニリデン等の合成樹脂からなるパイル糸からなり、タフティング等により基布１ａに植設されている。この場合、パイル糸を複数本ずつ等間隔で配置することにより芝面が形成されている。
【００１９】
充填物２は、細かい砂や珪砂、またはこれらにゴムチップを混合してなり、人工芝１のパイル１ｂ間に充填されている。この場合、充填物２は、パイル１ｂの高さに対して７割〜９割程度の高さまで充填される。
【００２０】
下地層３は、砕石や栗石等を敷き詰めた透水構造の基礎地盤４の上に、透水性のアスファルトを上面が平坦となるように施工することにより形成されている。人工芝１は、下地層３の表面に設置された後、パイル１ｂの間に充填物２を充填されることにより敷設されている。この場合、人工芝１は、充填物２の重量によって下地層３上に置敷き施工されている。
【００２１】
本実施形態の人工芝回収装置１０は、自走可能な装置本体２０と、人工芝１を切断するカッター３０と、人工芝１から充填物２を分離する充填物分離機構４０と、人工芝１を巻き取る巻取機構５０とから構成されている。
【００２２】
装置本体２０は複数の車輪２１を有し、図示しないエンジンまたはモータによって車輪２１を駆動することより自走可能に構成されている。装置本体２０の前部には人工芝１を装置本体２０内に案内する案内部２２が設けられ、案内部２２は前下りに傾斜したスロープ状に形成されている。装置本体２０では、案内部２２に案内された人工芝１が装置本体２０内に搬入され、装置本体２０内を通過して装置本体２０の後方に搬出されるようになっている。
【００２３】
カッター３０は回転しながら人工芝１を切断する丸刃状の切断刃からなり、装置本体２０の幅方向一端側の前方に配置されている。カッター３０は案内部２２の幅方向一端から延出する支持アーム３１の先端に取り付けられ、図示しないモータによって回転するようになっている。
【００２４】
充填物分離機構４０は装置本体２０内に設けられ、装置本体２０内を通過する人工芝１から充填物２を分離するようになっている。充填物分離機構４０は、例えば回転軸と共に回転しながら人工芝を叩打する叩打部材を用いて構成することができる（例えば、本出願人の特許第５８２６７９０号参照）。また、充填物分離機構４０によって人工芝１から分離された充填物２は、装置本体２０の側面に設けた排出口４１から外部に排出されるようになっている。
【００２５】
巻取機構５０は装置本体２０の後部に配置され、人工芝１を巻き取る巻芯５１と、巻芯５１の両端を着脱自在に支持する一対の支持部材５２と、巻芯５１を回転させるモータ５３とを備えている。巻芯５１は人工芝１の巻き取り幅よりも軸方向に長い円柱状の部材からなり、その軸方向両端には巻芯５１よりも径の小さい支軸５１ａがそれぞれ設けられている。支持部材５２は上端に巻芯５１の支軸５１ａが上下方向に着脱可能に係合するように形成され、支軸５１ａを回動自在に支持するようになっている。巻取機構５０には、巻芯５１の一端側に支軸５１ａと同軸状に配置された第１のプーリ５４と、モータ５３の回転軸に取り付けられた第２のプーリ５５とを備え、各プーリ５４，５５は無端状のベルト５６を介して連動するようになっている。第１のプーリ５４の軸方向一端側には巻芯５１の支軸５１ａに着脱自在に連結される連結部材５７が設けられ、連結部材５７を介して第１のプーリ５４の回転力を巻芯５１の支軸５１ａに伝達するようになっている。また、第１のプーリ５４の軸方向他端側は支持部材５８によって回動自在に支持されている。更に、第１のプーリ５４は、巻芯５１の支軸５１ａ側との間のトルクが所定のトルク以上になるとスリップしてトルクの伝達を制御するクラッチ５９を有し、クラッチ５９には周知のパウダークラッチ等が用いられる。この場合、クラッチ５９のスリップトルクは、巻き取り時に人工芝１に加わる巻取方向の張力が所定の張力以下になるように調整されている。
【００２６】
次に、本実施形態の人工芝の利用方法について説明する。本実施形態では、図１に示すように設置場所Ａに新設の人工芝１を敷設した後、予め設定した所定の時期に達すると、既設の人工芝１を回収して他の場所Ｂに敷設するようにしている。即ち、図７のフローチャートに示すように、例えば人工芝１の設置場所Ａの管理・運営会社がリース会社と人工芝のリース契約をする（Ｓ１）。この場合、例えば人工芝の耐用年数を１５年とすると、リース期間は１０年とする。次に、人工芝の施工業者が設置場所Ａに人工芝１を新設する（Ｓ２）。人工芝１の新設は、人工芝１を敷設するとともに人工芝１に充填物２を充填する。次に、前記リース期間の満了時期が到来したならば（Ｓ３）、既設の人工芝１を人工芝として再利用可能に回収し（Ｓ４）、他の設置場所Ｂに敷設する（Ｓ５）。他の場所Ｂに設置された人工芝１は、残りの耐用年数（５年）に達するまで使用された後、従来のように場所Ｂから撤去されて産業廃棄物として処分され、または再資源化してリサイクルされる。また、既設の人工芝１が回収された後の場所Ａには、例えば新たなリース契約により人工芝が再び新設される。
【００２７】
前記ステップＳ４における人工芝の回収工程は、前記人工芝回収装置１０を用いて行われる。即ち、図３及び図４に示すように、人工芝回収装置１０の装置本体２０を自走させるとともに、充填物２が充填されたままの人工芝１をカッター３０で所定の幅Ｗ（例えば１５００ｍｍ）に切断しながら設置面から剥離し、案内部２２を介して装置本体２０内に搬入する。続いて、装置本体２０内を通過する人工芝１から充填物分離機構４０によって充填物２を分離し、排出口４１から装置本体２０の外部に排出する。その際、装置本体２０から排出された充填物２は装置本体２０と併走する充填物回収車両（図示せず）によって回収される。次に、充填物２が分離された人工芝１は装置本体２０の後部で巻取機構５０によって巻芯５１に巻き取られることによりロール状に巻かれる。その際、人工芝１は巻取機構５０のモータ５３によって巻取方向の張力が生ずるように巻き取られるとともに、人工芝１に加わる張力が所定の張力（例えば１３ｋｇ）になると、クラッチ５９がスリップしてそれ以上の張力が加わらないように巻き取られる。巻芯５１に巻き取られる人工芝１が所定の巻き取り長さ（例えば２０ｍ〜３０ｍ）に達すると、人工芝１を幅方向に切断し、図６に示すように巻芯５１ごと巻取機構５０から取り外し、他の空の巻芯５１を巻取機構５０に装着して前記人工芝回収作業を繰り返す。
【００２８】
また、巻芯５１に巻き取られて回収された人工芝１は、他の設置場所Ｂで巻芯５１から巻き出されることにより巻き戻されて敷設される。
【００２９】
このように、本実施形態の人工芝の利用方法によれば、既設の人工芝１を設置場所Ａから回収して人工芝１として再利用するようにしたので、例えば耐用年数まで十分な期間が残されている中古の人工芝１を他の設置場所Ｂで再利用することができ、人工芝１の流通性及び利用価値を高めることができる。この場合、新設の人工芝１を設置場所Ａに敷設した後、予め設定した所定の時期（本実施形態ではリース満了時期）に達すると、設置場所Ａの人工芝１を回収して他の設置場所Ｂに人工芝として敷設するようにしたので、設置場所Ａにリースにより人工芝１を新設することができる。
【００３０】
即ち、従来のように人工芝としての再利用が想定されていない人工芝は、土地に定着した不動産としての扱いになるため、人工芝をリース物件とすることができなかったが、本発明では人工芝として再利用ができるので、リース物件として扱うことが可能となる。これにより、人工芝の新設費用をリースで経費化することができるので、例えば古くなった人工芝の張り替え費用の捻出が困難であった施設や、人工芝のコンディションを常に最良の状態に維持しておきたい競技場など、人工芝の早期の張り替えが望まれる場所には極めて有利である。また、既設の人工芝１の売却代金を新設費用の一部に充当すれば、新設費用の軽減を図ることができる。この場合、前記所定の時期は、再利用可能な残存期間を考慮すると、人工芝１の新設時から５年以上１０年以下に設定されることが好ましい。
【００３１】
一方、設置場所Ａから再利用可能に回収された人工芝１を中古物件として他の場所Ｂで買い取ることにより、例えば砂埃対策として土のグランドを人工芝化したい場合など、多少劣化した人工芝でも許容可能な設置場所であれば、低コストで人工芝の導入が可能となり、設置場所Ａから回収された人工芝１の利用価値を高めることができる。
【００３２】
また、前記人工芝１を回収する際、既設の人工芝１を敷設現場Ａで所定の幅Ｗに切断し、切断された人工芝１から充填物２を除去するとともに、充填物２が除去された人工芝１をロール状に巻き、ロール状に巻かれた人工芝を他の設置場所で巻き戻しながら敷設するようにしたので、充填物２が入っていない状態で人工芝１を回収及び再敷設することができる。これにより、充填物２の重量によって回収作業中に人工芝１の変形や亀裂等の損傷が生ずることがないので、人工芝１の損傷を防止することができ、人工芝１の品質を保つことができる。また、充填物２の重さで運搬に支障を来すこともないので、運搬作業を容易に行うことができる。
【００３３】
この場合、充填物２が除去された人工芝１を巻芯５１に巻き取ることによりロール状に巻き、巻芯５１に巻き取られた人工芝１を巻芯５１から巻き出すことにより他の設置場所Ｂで巻き戻すようにしたので、人工芝１を巻芯５１によって保持しながら巻き取り及び巻き出しを行うことができる。これにより、人工芝１を巻軸方向に位置ずれを生ずることなく巻き取ることができ、人工芝１の巻き取り及び巻き出しを常に正確に行うことができる。
【００３４】
更に、巻取機構５０のクラッチ５９により、人工芝１に生ずる巻取方向の張力が所定の張力以下になるように人工芝１を巻芯５１に巻き取るようにしたので、巻き取られた人工芝１同士の圧着によるパイル１ｂの潰れを抑制することができ、回収した人工芝１の品質低下の防止に極めて有利である。
【００３５】
また、既設の人工芝１の回収を、人工芝１の切断、充填物２の除去及び人工芝１の巻き取りを行う自走可能な人工芝回収装置１０を用いて行うようにしたので、人工芝１の回収作業を効率よく行うことができ、回収作業に要する時間やコストの低減を図ることができる。
【００３６】
尚、前記実施形態では、充填物２が除去された人工芝１を巻芯５１に巻き取ることによりロール状に巻いて回収するようにしたものを示したが、巻芯５１を用いずに人工芝１をロール状に巻いて回収するようにしてもよいし、人工芝１を折りたたんで回収するようにしてもよい。
【００３７】
また、前記実施形態では、新設の人工芝１を敷設した後、予め設定した所定の時期に達すると人工芝１を回収するようにしたものを示したが、このような所定の時期が設定されていない既設の人工芝であっても、人工芝として再利用可能な耐用年数の残存期間があれば、前記回収方法を用いて人工芝として再利用することができる。
【符号の説明】
【００３８】
１…人工芝、１ｂ…パイル、１０…人工芝回収装置、２０…装置本体、３０…カッター、４０…充填物分離機構、５０…巻取機構、Ａ，Ｂ…設置場所。
【図１】
2018141289.tif 000003
【図２】
2018141289.tif 000004
【図３】
2018141289.tif 000005
【図４】
2018141289.tif 000006
【図５】
2018141289.tif 000007
【図６】
2018141289.tif 000008
【図７】
2018141289.tif 000009
【図８】
2018141289.tif 000010
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
パイル間に充填物が充填された既設の人工芝を設置場所から回収して人工芝として再利用する人工芝の利用方法であって、
前記既設の人工芝を前記設置場所で所定の幅に切断し、
切断された人工芝から充填物を除去した後、
充填物が除去された人工芝を他の設置場所に敷設する
ことを特徴とする人工芝の利用方法。
【請求項２】
パイル間に充填物が充填される新設の人工芝を設置場所に敷設した後、人工芝として再利用可能な残存期間を有するように予め設定された所定の時期に達すると、既設の人工芝を回収して他の設置場所に人工芝として再利用可能に敷設する人工芝の利用方法であって、
前記既設の人工芝を前記設置場所で所定の幅に切断し、
切断された人工芝から充填物を除去した後、
充填物が除去された人工芝を他の設置場所に敷設する
ことを特徴とする人工芝の利用方法。
【請求項３】
前記所定の時期は、既設の人工芝に対して設けられたリース期間の満了時期である
ことを特徴とする請求項２記載の人工芝の利用方法。
【請求項４】
前記所定の時期を人工芝の新設時から５年以上１０年以下に設定する
ことを特徴とする請求項２または３記載の人工芝の利用方法。
【請求項５】
前記充填物が除去された人工芝をロール状に巻き、
ロール状に巻かれた人工芝を他の設置場所で巻き戻しながら敷設する
ことを特徴とする請求項１、２、３または４記載の人工芝の利用方法。
【請求項６】
前記充填物が除去された人工芝を巻芯に巻き取ることによりロール状に巻き、
巻芯に巻き取られた人工芝を巻芯から巻き出すことにより他の設置場所で巻き戻す
ことを特徴とする請求項５記載の人工芝の利用方法。
【請求項７】
前記人工芝に生ずる巻取方向の張力が所定の張力以下になるように人工芝を巻芯に巻き取る
ことを特徴とする請求項６記載の人工芝の利用方法。
【請求項８】
前記既設の人工芝の切断及び充填物の除去を行う自走可能な人工芝回収装置を用いて既設の人工芝の回収を行う
ことを特徴とする請求項１、２、３、４、５、６または７記載の人工芝の利用方法。
【手続補正２】
【補正対象書類名】明細書
【補正対象項目名】００１０
【補正方法】変更
【補正の内容】
【００１０】
また、本発明の人工芝の利用方法は、前記目的を達成するために、パイル間に充填物が充填される新設の人工芝を設置場所に敷設した後、人工芝として再利用可能な残存期間を有するように予め設定した所定の時期に達すると、既設の人工芝を回収して他の設置場所に人工芝として再利用可能に敷設する人工芝の利用方法であって、前記既設の人工芝を前記設置場所で所定の幅に切断し、切断された人工芝から充填物を除去した後、充填物が除去された人工芝を他の設置場所に敷設するようにしている。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
パイル間に充填物が充填された既設の人工芝を設置場所から回収して人工芝として再利用する人工芝の利用方法であって、
前記既設の人工芝を前記設置場所で所定の幅に切断し、
切断された人工芝から充填物を除去した後、
充填物が除去された人工芝を巻取方向の張力が所定の張力以下になるように巻芯へのトルクの伝達を制御しながら巻芯にロール状に巻き取り、
巻芯に巻き取られた人工芝を他の設置場所で巻芯から巻き出すことにより他の設置場所に敷設する
ことを特徴とする人工芝の利用方法。
【請求項２】
パイル間に充填物が充填される新設の人工芝を設置場所に敷設した後、人工芝として再利用可能な残存期間を有するように予め設定された所定の時期に達すると、既設の人工芝を回収して他の設置場所に人工芝として再利用可能に敷設する人工芝の利用方法であって、
前記既設の人工芝を前記設置場所で所定の幅に切断し、
切断された人工芝から充填物を除去した後、
充填物が除去された人工芝を巻取方向の張力が所定の張力以下になるように巻芯へのトルクの伝達を制御しながら巻芯にロール状に巻き取り、
巻芯に巻き取られた人工芝を他の設置場所で巻芯から巻き出すことにより他の設置場所に敷設する
ことを特徴とする人工芝の利用方法。
【請求項３】
前記所定の時期は、既設の人工芝に対して設けられたリース期間の満了時期である
ことを特徴とする請求項２記載の人工芝の利用方法。
【請求項４】
前記所定の時期を人工芝の新設時から５年以上１０年以下に設定する
ことを特徴とする請求項２または３記載の人工芝の利用方法。
【請求項５】
前記人工芝に加わる張力が所定の張力になると、巻芯に回転力を伝達するクラッチがスリップしてそれ以上の張力が加わらないように人工芝を巻き取る
ことを特徴とする請求項１、２、３または４記載の人工芝の利用方法。
【請求項６】
前記既設の人工芝の切断及び充填物の除去を行う自走可能な人工芝回収装置を用いて既設の人工芝の回収を行う
ことを特徴とする請求項１、２、３、４または５記載の人工芝の利用方法。
【手続補正２】
【補正対象書類名】明細書
【補正対象項目名】０００９
【補正方法】変更
【補正の内容】
【０００９】
本発明の人工芝の利用方法は、前記目的を達成するために、パイル間に充填物が充填された既設の人工芝を設置場所から回収して人工芝として再利用する人工芝の利用方法であって、前記既設の人工芝を前記設置場所で所定の幅に切断し、切断された人工芝から充填物を除去した後、充填物が除去された人工芝を巻取方向の張力が所定の張力以下になるように巻芯へのトルクの伝達を制御しながら巻芯にロール状に巻き取り、巻芯に巻き取られた人工芝を他の設置場所で巻芯から巻き出すことにより他の設置場所に敷設するようにしている。
【手続補正３】
【補正対象書類名】明細書
【補正対象項目名】００１０
【補正方法】変更
【補正の内容】
【００１０】
また、本発明の人工芝の利用方法は、前記目的を達成するために、パイル間に充填物が充填される新設の人工芝を設置場所に敷設した後、人工芝として再利用可能な残存期間を有するように予め設定された所定の時期に達すると、既設の人工芝を回収して他の設置場所に人工芝として再利用可能に敷設する人工芝の利用方法であって、前記既設の人工芝を前記設置場所で所定の幅に切断し、切断された人工芝から充填物を除去した後、充填物が除去された人工芝を巻取方向の張力が所定の張力以下になるように巻芯へのトルクの伝達を制御しながら巻芯にロール状に巻き取り、巻芯に巻き取られた人工芝を他の設置場所で巻芯から巻き出すことにより他の設置場所に敷設するようにしている。
【手続補正４】
【補正対象書類名】明細書
【補正対象項目名】００１１
【補正方法】変更
【補正の内容】
【００１１】
これにより、既設の人工芝が設置場所から回収されて人工芝として再利用されることから、例えば耐用年数まで十分な期間が残されている人工芝を他の設置場所で再利用することが可能となる。この場合、新設の人工芝を設置場所に敷設した後、予め設定した所定の時期に達すると、前記人工芝を回収して他の設置場所に人工芝として敷設することにより、人工芝を再利用可能な資産としてリースにより新設することが可能となる。また、人工芝を回収する際、既設の人工芝が敷設現場で所定の幅に切断され、切断された人工芝から充填物が除去されるとともに、充填物が除去された人工芝が他の敷設場所に敷設されることから、充填物が入っていない状態で人工芝を回収及び再敷設することが可能となり、充填物の重量によって回収作業中に人工芝の変形や亀裂等の損傷が生ずることがなく、充填物の重さで運搬に支障を来すこともない。更に、人工芝に生ずる巻取方向の張力が所定の張力以下になるように人工芝が巻芯に巻き取られることから、巻き取られた人工芝同士の圧着によるパイルの潰れが抑制される。
【手続補正５】
【補正対象書類名】明細書
【補正対象項目名】００１２
【補正方法】変更
【補正の内容】
【００１２】
本発明によれば、既設の人工芝を人工芝として再利用することができるので、例えば耐用年数まで十分な期間が残されている人工芝を他の設置場所で再利用することができ、人工芝の流通性及び利用価値を高めることができる。この場合、人工芝を再利用可能な資産としてリースにより新設することが可能となるので、人工芝の新設費用をリースで経費化することができる。これにより、例えば古くなった人工芝の張り替え費用の捻出が困難であった施設や、人工芝のコンディションを常に最良の状態に維持しておきたい競技場など、人工芝の早期の張り替えが望まれる場所に極めて有利である。一方、再利用可能に回収された人工芝を中古物件として他の場所で買い取ることにより、例えば砂埃対策として土のグランドを人工芝化したい場合など、多少劣化した人工芝でも許容可能な設置場所であれば、低コストで人工芝の導入が可能となり、再利用可能に回収された人工芝の利用価値をより高めることができる。また、充填物の重量によって回収作業中に人工芝の変形や亀裂等の損傷が生ずることがないので、人工芝の損傷を防止することができ、人工芝の品質を保つことができる。更に、充填物の重さで運搬に支障を来すこともないので、運搬作業を容易に行うことができる。更に、巻芯に巻き取られた人工芝同士の圧着によるパイルの潰れを抑制することができるので、回収した人工芝の品質低下の防止に極めて有利である。